(57)【要約】【課題】  使用者だけではなく、リュックサック自体が雨で濡れることを防止し、また雨合羽を雨具以外にも使用できるようにして、使い勝手の良い雨合羽付きリュックサックを提供する。【解決手段】  雨合羽１を収納部２に着脱自在に取り付ける。雨合羽１を、収納部２の取り付け位置から外に拡げて、使用者５の頭５ａ、両肩５ｂ、両腕５ｃを含む使用者５の前側を覆う前垂れ部１ａと、リュックサック３を内側にして使用者５の後側を覆う後垂れ部１ｂとで１枚のシート状に形成する。【選択図】      図１
0003122128.tif 000002
【実用新案登録請求の範囲】
【請求項１】
雨合羽が収納部に着脱自在に取り付けられているリュックサックであって、上記の雨合羽が、収納部の取り付け位置から外に拡げられて、使用者の頭、両肩、両腕を含む使用者の前側を覆う前垂れ部と、リュックサックを内側にして使用者の後側を覆う後垂れ部とで１枚のシート状に形成されていることを特徴とする雨合羽付きリュックサック。
【請求項２】
請求項１記載の雨合羽付きリュックサックであって、前垂れ部の両側と後垂れ部の両側の対向位置に、前垂れ部と後垂れ部の側部同士を連結するための止め具が設けられていることを特徴とする雨合羽付きリュックサック。
【請求項３】
請求項１又は２記載の雨合羽付きリュックサックであって、リュックサックの口が上方に開口され、この口を覆う蓋の外面に、雨合羽の収納部が設けられていることを特徴とする雨合羽付きリュックサック。
【考案の詳細な説明】
【技術分野】
【０００１】
本考案は、リュックサックに関し、更に詳しくは降雨に対する備えを施してある雨合羽付きリュックサックに関するものである。
【背景技術】
【０００２】
従来、この種のリュックサックとしては、例えば使用者の背中にあたる部分の周囲に収納部を設け、この収納部内に、使用者の頭や肩およびリュックサックの周囲の背中を覆うシートを設けているものがある（例えば特許文献１参照）。
【０００３】
而して上記の従来品は、リュックサックを外側に出した状態で使用者をシートで覆う構造であった。従ってこれによると、リュックサックが濡れ、リュックサックの内部に雨水が滲み込み、収納物を濡らす、という大きな問題点があった。
また従来品は、シートが雨具としての機能を持つのに止まるものであった。従って従来品の場合は、雨具のほかに、例えば休憩時用の敷物や、物を包むのに用いる布等を別個に携帯する必要があったから、従来品によると、登山時等に荷物が増え、重量が増加するのを避けられず、使い勝手が悪い、という問題点があった。
【特許文献１】実開平６−５５２８号公報
【考案の開示】
【考案が解決しようとする課題】
【０００４】
本考案は、このような従来品の問題点に鑑み、提案されたものである。
従って本考案が解決しようとする技術的課題は、使用者だけではなく、リュックサック自体が雨で濡れることを防止し、また雨合羽を雨具以外にも使用できるようにして、使い勝手が良くなるよう形成した雨合羽付きリュックサックを提供することにある。
【課題を解決するための手段】
【０００５】
本考案は、上記の課題を解決するため、次のような技術的手段を採る。
即ち本考案は、図１等に示されるように、雨合羽１が収納部２に着脱自在に取り付けられているリュックサック３であって、上記の雨合羽１が、収納部２の取り付け位置から外に拡げられて、使用者５の頭５ａ、両肩５ｂ、両腕５ｃを含む使用者５の前側を覆う前垂れ部１ａと、リュックサック３を内側にして使用者５の後側を覆う後垂れ部１ｂとで１枚のシート状に形成されていることを特徴とする（請求項１）。
【０００６】
ここで、収納部２に着脱自在に取り付けられている、とは、雨合羽１が収納部２の内面に、面状ファスナーや、ボタン、スナップ、留金等の手段で、取り外しが可能な状態に設けられている、ということを意味する。本発明の場合、雨合羽１は、１枚のシート状であれば、その外形状や材質は任意である。
【０００７】
また請求項１記載の本考案は、前垂れ部１ａの両側と後垂れ部１ｂの両側の対向位置に、前垂れ部１ａと後垂れ部１ｂの側部同士を連結するための止め具６が設けられているのが好ましい（請求項２）。
なぜならこれによると、使用者５の両側を塞いで、雨で濡れたり、風で前垂れ部１ａ等が捲くれることを防止でき、一層、使い勝手が良くなるからである。ここで、止め具６としては、例えば面状ファスナーやボタン、スナップ等がある。
【０００８】
また請求項１又は２記載の本考案は、リュックサック３の口３ａが上方に開口され、この口３ａを覆う蓋３ｂの外面に、雨合羽１の収納部２が設けられているのが好ましい（請求項３）。
なぜならこれによると、収納部２がリュックサック３の天頂部に形成されるため、雨合羽１を着るとき、前垂れ部１ａを肩紐３ｃ側に返し易く、また後垂れ部１ｂを後側に垂れ下げて拡げ易くなり、使い勝手が更に良くなるからである。
【考案の効果】
【０００９】
本考案は、このように雨合羽を、使用者の前側を覆う前垂れ部と、リュックサックを内側にして使用者の後側を覆う後垂れ部とで１枚のシート状に形成しているものである。
従って本考案を使用すれば、登山やハイキング等の際に、使用者だけではなく、リュックサック自体が雨で濡れることを防止できる。
また本考案は、雨合羽が収納部に着脱自在に設けられ、且つ１枚のシート状に形成されている。
従ってこれによれば、雨合羽を、例えば休憩時等に敷物として使用したり、また風呂敷代わりや寝袋として使用できる、という実用上優れた効果を奏する。
【考案を実施するための最良の形態】
【００１０】
以下、本考案の好適な一実施形態を添付図面に従って説明する。
本考案は、図１等に示されるように、雨合羽１が収納部２に着脱自在に取り付けられているリュックサック３である。雨合羽１は、畳まれて収納部２に収納され、この実施形態では、収納部２の内面に取り付けられているメス型の面状ファスナー４ａに、雨合羽１の内側の所定位置に取り付けられているオス型の面状ファスナー４ｂを噛み合わせることで着脱自在に取り付けられている。リュックサック３の口３ａは、上方に開口されている。３ｂは、この口３ａを覆う蓋である。収納部２は、チャック２ａで開閉自在に形成され、蓋３ｂの外面、換言するとリュックサック３の天頂部に設けられている。なお３ｃは、２本の肩紐である。
【００１１】
上記の雨合羽１は、収納部２の取り付け位置から外に拡げられ、使用者５の頭５ａ、両肩５ｂ、両腕５ｃを含む使用者５の前側を覆う前垂れ部１ａと、リュックサック３を内側にして使用者５の後側を覆う後垂れ部１ｂとで１枚のシート状に形成されている。この実施形態の場合、雨合羽１は、前垂れ部１ａと後垂れ部１ｂの横幅が同じ状態で長方形状に形成され、前垂れ部１ａは頭５ａを覆うフード１ｃを備えて形成されている。
【００１２】
またこの実施形態の本考案は、前垂れ部１ａの両側と後垂れ部１ｂの両側の内面の対向位置に、前垂れ部１ａと後垂れ部１ｂの側部同士を連結するための止め具６が設けられている。この止め具６は、面状ファスナーで形成され、例えばメス型の面状ファスナー６ａが前垂れ部１ａの両側部の内面の上下位置に、オス型の面状ファスナー６ｂがメス型の面状ファスナー６ａに対応する、後垂れ部１ｂの両側部の内面の上下位置に設けられている。
【００１３】
次に本考案の使用例を説明する。
先ず使用者５は、収納部２のチャック２ａを引いて収納部２を開け（図３〜図６参照）、畳まれている雨合羽１の前垂れ部１ａを肩紐３ｃの側に返し、後垂れ部１ｂを後側に垂れ下げる。これにより雨合羽１は、前後方向に長い状態で帯状に展開される。
【００１４】
次に使用者５は、この帯状の、未だ畳まれている状態の雨合羽１を、図６において、例えば右側、左側に返して開き、１枚のシート状に拡げる。そして図７に示されるように、前垂れ部１ａで、頭５ａ、両肩５ｂ、両腕５ｃを覆い、後垂れ部１ｂで、背中や腰の後、臀部等を覆う。
その後、使用者５は、止め具６を利用して、前垂れ部１ａ、後垂れ部１ｂの両側を閉じる。これにより、側部からの雨や風の浸入が防止され、使用者５とリュックサック３が雨合羽１で覆われる。
【００１５】
而して本考案の場合、使用者は、雨合羽１を上記の通り、例えば敷物や風呂敷、或いは寝袋代わりとして使用することができる。この内、例えば寝袋として使用する場合は、先ず使用者は雨合羽１を地面に拡げ、次にその長手方向に沿って身体を横たえ、その後、両側を内方に返して止め具６で止め付け、雨合羽１を筒状に形作って使用する。
【００１６】
以上の処において、本考案の場合、上記の雨合羽１は、１枚のシート状に形成されているのであれば、例えば平面から見た形状、大きさ、フード１ｃの有無、材質等は任意である。また雨合羽１は、例えば前垂れ部１ａと後垂れ部１ｂとで色や模様を違え、ファッション性が高くなるよう形成されているのでも良い。
また本考案の場合、上記の収納部２は、例えば使用者５の背中に当たる面と反対側の外面に設けられているのでも良く、その形成位置は任意である。
【図面の簡単な説明】
【００１７】
【図１】本考案のリュックサックの好適な一実施形態を示し、Ａは背面図、Ｂは使用例を説明するための斜視図である。
【図２】同上リュックサックの正面図である。
【図３】同上リュックサックの収納部を開いた状態の背面図である。
【図４】同上リュックサックの使用例を説明するための側面図である。
【図５】同上リュックサックの使用例を説明するための側面図である。
【図６】同上リュックサックの使用例を説明するための背面図である。
【図７】同上リュックサックの使用例を説明するための斜視図である。
【符号の説明】
【００１８】
１    雨合羽
１ａ  前垂れ部
１ｂ  後垂れ部
２    収納部
３    リュックサック
５    使用者
５ａ  頭
５ｂ  両肩
５ｃ  両腕
【図１】
0003122128.tif 000003
【図２】
0003122128.tif 000004
【図３】
0003122128.tif 000005
【図４】
0003122128.tif 000006
【図５】
0003122128.tif 000007
【図６】
0003122128.tif 000008
【図７】
0003122128.tif 000009